(57)【要約】【課題】  アナログ放送が存在している現在でも、受信した放送信号がデジタル放送であることを容易かつ確実に判定可能とするとともに、チャンネルサーチの高速化を図る。【解決手段】  放送波を受信するアンテナ１１と、このアンテナ１１で受信された放送波から放送信号を取り出す周波数選択手段１２と、この周波数選択手段１２からの放送信号をデジタル放送データに復調するデジタル放送復調手段１６と、周波数選択手段１２からの放送信号を複数の周波数帯に分割する周波数帯分割手段１３ａと、分割された信号のそれぞれについて信号強度を測定する信号強度測定手段１４と、この信号強度測定手段１４での測定結果にもとづいて、放送信号中の放送の有無と放送の種類とを判定する判定制御手段１５とを備えた。【選択図】    図１
2006352488.tif 000002
【特許請求の範囲】
【請求項１】
アンテナで受信された信号から放送信号を取り出す周波数選択手段と、
この周波数選択手段からの放送信号をデジタル放送データに復調するデジタル放送復調手段と、
前記周波数選択手段からの放送信号を複数の周波数帯に分割する周波数帯分割手段と、
分割された信号のそれぞれについて信号強度を測定する信号強度測定手段と、
この信号強度測定手段での測定結果にもとづいて、前記放送信号中の放送の有無と放送の種類とを判定する判定制御手段とを備えた
ことを特徴とするデジタル放送受信機。
【請求項２】
前記判定制御手段は、前記測定結果である周波数帯ごとの信号強度をそれぞれ比較したときの大小関係にもとづいて、前記放送信号中の放送の有無と放送の種類とを判定する
ことを特徴とする請求項１記載のデジタル放送受信機。
【請求項３】
前記判定制御手段は、
前記周波数帯ごとの信号強度にもとづいて、前記周波数帯ごとの信号の有無を判定し、
前記周波数帯ごとの信号の有無の組み合わせにもとづいて、前記放送信号中の放送の有無と放送の種類とを判定する
ことを特徴とする請求項１記載のデジタル放送受信機。
【請求項４】
チャンネルに関する情報が登録される登録手段を備え、
前記判定制御手段は、順番に受信されたチャンネルのすべてについて放送の有無と放送の種類とを判定し、受信可能なデジタル放送が行われているチャンネルを前記チャンネル情報として前記登録手段に登録する
ことを特徴とする請求項１〜３のいずれかに記載のデジタル放送受信機。
【請求項５】
前記周波数帯分割手段に代えて、信号の通過する周波数帯を調整可能な可変式フィルタを備え、
前記判定制御手段は、前記可変式フィルタを制御して、前記信号の通過する周波数帯を調整し、
前記信号強度測定手段は、前記調整された周波数帯ごとに信号強度を測定し、
前記判定制御手段は、前記信号強度測定手段での測定結果にもとづいて、前記放送信号中の放送の有無および放送の種類を判定する
ことを特徴とする請求項１〜４のいずれかに記載のデジタル放送受信機。
【請求項６】
前記周波数帯分割手段に代えて、周波数帯が固定したフィルタを備え、
前記信号強度測定手段は、前記フィルタを通過した信号の信号強度と、前記周波数選択手段から直接入力した信号の信号強度とをそれぞれ測定し、
前記判定制御手段は、前記信号強度測定手段での測定結果にもとづいて、前記放送信号中の放送の有無および放送の種類を判定する
ことを特徴とする請求項１〜５のいずれかに記載のデジタル放送受信機。
【請求項７】
前記デジタル放送復調手段が、前記放送信号を周波数ごとに変換するＦＦＴ部を備え、
前記信号強度測定手段は、前記ＦＦＴ部で周波数ごとに変換された値を読み出し、
前記判定制御手段は、前記信号強度測定手段で読み出された値にもとづいて、前記放送信号中の放送の有無および放送の種類を判定する
ことを特徴とする請求項１〜６のいずれかに記載のデジタル放送受信機。
【請求項８】
アンテナが信号を受信するステップと、
周波数選択手段が前記アンテナから前記信号を受け、この信号から放送信号を取り出すステップと、
周波数帯分割手段が前記周波数選択手段からの放送信号を複数の周波数帯に分割するステップと、
信号強度測定手段が前記周波数帯分割手段で分割された信号のそれぞれについて信号強度を測定するステップと、
判定制御手段が、前記信号強度測定手段での測定結果にもとづいて、前記放送信号中の放送の有無と放送の種類とを判定するステップとを有した
ことを特徴とする放送方式判定方法。
【請求項９】
アンテナで受信された信号から放送信号を取り出す手順を周波数選択手段に実行させ、
前記周波数選択手段からの放送信号を複数の周波数帯に分割する手順を周波数帯分割手段に実行させ、
前記周波数帯分割手段で分割された信号のそれぞれについて信号強度を測定する手順を信号強度測定手段に実行させ、
前記信号強度測定手段での測定結果にもとづいて、前記放送信号中の放送の有無と放送の種類とを判定する手順を判定制御手段に実行させる
ことを特徴とする放送方式判定プログラム。
【発明の詳細な説明】
【技術分野】
【０００１】
本発明は、デジタル放送受信機のチャンネル検出機能に関し、特に、放送中のチャンネル検出の高速化に関する。
【背景技術】
【０００２】
現在、我が国では、テレビ放送に関し、国策としてアナログ放送からデジタル放送への移行が進められている。
例えば、我が国の地上デジタル放送は、２０００年にＢＳデジタル放送が開始されており、次いで２００３年には地上デジタルテレビ放送が開始されている。そして、２０１１年にはアナログテレビ放送を終了することが計画されている。
【０００３】
ここで、地上デジタル放送とは、デジタル化された地上波テレビ放送をいう。この地上デジタル放送の変調方式は、我が国においては、１チャンネルの周波数帯が１３個のセグメントに分割されており（全帯域幅は、５．５７ＭＨｚ）、送信側でサービス毎に１から１３のセグメントを組み合わせて送り、受信側で個別のサービスを選択して受ける方式を採用している。
【０００４】
また、アナログテレビ放送からデジタルテレビ放送への移行にともない、２０１１年以降、すべてのテレビ放送受信機はデジタル放送受信機に置き換えられることとなる。
デジタル放送受信機は、主要構成として、アンテナ、周波数選択手段（チューナ）、デジタル放送復調手段、ＡＶデコーダなどを備えている。アンテナで受信されたＯＦＤＭ変調信号に対し周波数選択手段がチャンネル選局し、デジタル放送復調手段でＡＤ変換、ＯＦＤＭ復調、誤り訂正が行われ、ＡＶデコーダに入力される。ＡＶデコーダでは、デジタル放送復調手段からのＴＳ出力がビデオ信号とオーディオ信号に分離され、ビデオデコーダで映像信号として、またオーディオデコーダで音声信号としてそれぞれ再生される。
【０００５】
ところで、従来のアナログ放送受信機においては、その受信地点で受信可能な放送のチャンネルを設定する方法として、受信チャンネルをすべて一度受信する方法が知られている。また、この際に放送の有無を判定する方法としては、受信したチャンネルの電界信号強度を用いることが一般に知られている。
これらの方法をデジタル放送受信機に応用することで、このデジタル放送受信機で受信した信号における放送の有無についても動作的には判定可能である。
【０００６】
ところが、デジタル放送とアナログ放送が同時に放送されている現在の状況では、デジタル放送受信機で同様の処理を行った場合には、アナログ放送が行われているチャンネルをデジタル放送が行われているチャンネルと誤認してしまうといった問題が生じる。
そこで、この問題の解決策として、デジタル放送のシンボル検出までを行うことでデジタル放送であることを確認する手段が提案されている（例えば、特許文献１参照。）。
【０００７】
また、他の解決策として、例えば、デジタル放送受信機が同期検出部を備える構成とし、自動選局処理に際して同期検出部がアナログテレビジョン放送波に含まれる同期信号を検出すると、制御部が当該チャンネルをアナログテレビジョン放送波伝送用の物理チャンネルと判定し、当該物理チャンネル内の各セグメントを更に細かく局検出することなく次の物理チャンネルを局検出の対象とする。同期信号が検出されない場合には、デジタル放送波についての局検出を当該物理チャンネル内において行う。また、最初に局検出すべきセグメントを、アナログテレビジョン放送波に含まれる同期信号の周波数に対応するセグメントとする。また、物理チャンネルをアナログテレビジョン放送波の伝送用チャンネルではないと判定すると、自動選局の開始前に選択されていた物理チャンネル内のセグメントを最初に局検出すべきセグメントに設定して、当該チャンネルの周波数帯域内を細かく局検出する（例えば、特許文献２参照。）。
このような構成により、デジタル及びアナログの放送波が混在する周波数帯域内における自動選局処理を短時間で行うことができる。
【０００８】
また、例えば、選局回路から出力される中間周波信数信号ｅの電圧又は最大振幅を狭帯域ＢＰＦを介して第一測定手段で測定してａを得、ｅの電圧を所定の広帯域ＢＰＦを介して第二測定手段で測定してｂを得、比較手段でｂ／ａと所定値との大小を比較し、該比較結果に応じて、選局回路で選局した放送の放送方式を判別する（例えば、特許文献３参照。）。
このような構成により、受信中の放送がアナログ放送であるかデジタル放送であるかを短時間で判別することができる。
【０００９】
さらに、例えば、電源投入時等の初期設定時にチャンネルオートサーチを開始し、アナログ放送、デジタル放送を区別することなく順にチャンネルサーチして、各チャンネルの放送の有無を判別し、放送がある場合には、アナログ放送かデジタル放送かを判別して、その判別結果をチャンネル情報メモリ部に登録しておく。そして、ユーザのチャンネル指定を受けたとき、そのチャンネル情報をメモリ部から該当するチャンネルの情報を読み出して、その情報から指定チャンネルがアナログ放送かデジタル放送かを判別し、アナログ放送の場合はアナログ復調出力を、デジタル放送の場合はデジタル復調出力を選択的に導出する（例えば、特許文献４参照。）。
このような構成により、アナログ放送及びデジタル放送のチャンネル情報を自動的かつ短時間で取得することができる。
【特許文献１】特開平０９−２３２９８４号公報
【特許文献２】特開２００３−０３２５６２号公報
【特許文献３】特開２００１−３２０２９０号公報
【特許文献４】特開２００１−２３０６８９号公報
【発明の開示】
【発明が解決しようとする課題】
【００１０】
しかしながら、特許文献１に記載の技術によれば、全チャンネルをサーチして受信可能なデジタル放送が放送中のチャンネルを検出してチャンネルデータと登録する処理を行う場合に時間がかかっていた。特にアナログ放送の多く存在する場合により多くの時間がかかっていた。
【００１１】
その理由は、従来の技術ではチャンネルを選局後にまず信号電界強度の測定を行い、信号電界強度が所定の値以下の場合は放送が存在しないチャンネルとして判断し信号電界強度が所定の値以上ある場合はデジタル放送としての復調処理を行い特許文献１のように復調処理を行いシンボルの検出の確認や、復調器の同期確認を待ってデジタル放送であると確認している。選局したチャンネルがアナログ放送であった場合には前記のデジタル放送の復調処理を行ってもシンボルの検出や復調器の同期確認はできないためアナログ放送と判断する。この方式で判断する場合、受信した放送がデジタル放送であっても復調処理によりシンボルの検出や復調器の同期が確認できるようになるまでの処理時間が必要となるため、アナログ放送を受信した場合においてもデジタル放送を受信した場合に確実にデジタル放送の存在を判定できる処理時間分は待つ必要があることからアナログ放送の判定にデジタル放送の判定と同様の時間が必要となるためである。
【００１２】
また、特許文献２に記載の技術は、二つ存在するフィルタ（アナログＴＶ用帯域通過フィルタ、セグメント選択用帯域通過フィルタ）のうち一つのフィルタでは、アナログ放送（デジタル放送ではない）の判断のためにアナログ放送の同期信号の検出機能が必要となっていた。このため、特許文献１と同様、放送の種類の判定に相当の時間を要するという問題があった。
さらに、特許文献３に記載の技術は、二つのＢＰＦ（Ｂａｎｄ  Ｐａｓｓ  Ｆｉｌｔｅｒ）の出力の比を用いて、放送の種類を判定していた。ところが、国内の地上デジタル放送の受信信号を特許文献３の方式で判定した場合には、比が検出されないため、デジタル放送が検出できないという問題があった。
また、特許文献４に記載の技術は、アナログ放送信号、デジタル放送信号をＦＦＴ処理したパターンとの比較判定を行うこととしているため、それぞれのパターンデータと比較器が必要となっていた。
【００１３】
本発明は、上記の事情にかんがみなされたものであり、アナログ放送が存在している現在でも、受信した放送信号がデジタル放送であることを容易かつ確実に判定可能とするとともに、チャンネルサーチの高速化を図ることができ、かつ、同期信号の検出手段，ＦＦＴ処理したパターンと比較するためのパターンデータ，このパターン比較に用いる比較器などが不要なデジタル放送受信機、放送方式判定方法及び放送方式判定プログラムの提供を目的とする。
【課題を解決するための手段】
【００１４】
この目的を達成するため、本発明のデジタル放送受信機は、アンテナで受信された信号から放送信号を取り出す周波数選択手段と、この周波数選択手段からの放送信号をデジタル放送データに復調するデジタル放送復調手段と、周波数選択手段からの放送信号を複数の周波数帯に分割する周波数帯分割手段と、分割された信号のそれぞれについて信号強度を測定する信号強度測定手段と、この信号強度測定手段での測定結果にもとづいて、放送信号中の放送の有無と放送の種類とを判定する判定制御手段とを備えた構成としてある。
【００１５】
デジタル放送受信機をこのような構成とすると、周波数帯分割手段で分割されたＲＦ信号について各周波数帯ごとに信号強度を測定し、この測定結果にもとづいて、周波数選択手段から出力されるＲＦ信号における放送の有無や放送の種類を判定できる。すなわち、そのＲＦ信号における放送の有無や放送の種類を、簡易な構成で、容易かつ確実に判定することができる。
例えば、周波数選択手段から出力されるＲＦ信号のスペクトラムは、図４に示すように、アナログ放送（同図（ａ））とデジタル放送（同図（ｂ））で異なる。そこで、そのＲＦ信号を例えば三つの周波数帯に分割し（例えば、（１）０ＭＨｚ〜２．５ＭＨｚ、（２）２．５ＭＨｚ〜４．５ＭＨｚ、（３）４．５ＭＨｚ〜６ＭＨｚ）、これら各周波数帯ごとの信号強度を測定する。この測定結果は、アナログ放送の場合、（１）＞（３）＞（２）となるのに対し、デジタル放送では（１）＝（２）＝（３）となる。また、放送が無い場合は、（１），（２），（３）のいずれもが放送が無い場合の信号強度となる。
このように各周波数帯ごとの信号強度を用いることで、放送の有無、あるいはアナログ放送かデジタル放送かを、アナログ放送が存在している現在でも、容易かつ確実に判定できる。
【００１６】
しかも、請求項１に係る発明は、デジタル放送のシンボル検出まで行う必要はなく、しかも、復調器の同期確認を待つことも要しないため、チャンネルサーチの高速化を図ることができる。
その理由は、従来はまず選択した周波数での信号強度を確認して信号強度が測定される場合にはデジタル放送復調手段でのシンボルの検出や同期検出を待ってデジタル放送かアナログ放送かを判断するため特にアナログ放送受信時にもデジタル放送復調手段での判定が可能になるまで待ち時間が発生していたが、本発明では周波数選択手段が周波数を選択した後の信号強度測定結果により放送の有無、デジタル放送とアナログ放送の判定が行えるためアナログ放送受信時のデジタル放送復調手段の処理時間待ちがなくなるためである。
【００１７】
さらに、本発明は、各周波数帯ごとの信号強度を比較するものであって、ＢＰＦの出力の比を用いるものではない。このため、国内の地上デジタル放送にも適用可能である。
そして、本発明は、各周波数帯ごとの信号強度を比較するものであるため、同期信号の検出手段，ＦＦＴ処理したパターンと比較するためのパターンデータ，このパターン比較に用いる比較器などが不要となる。
【００１８】
また、本発明のデジタル放送受信機は、判定制御手段が、測定結果である周波数帯ごとの信号強度をそれぞれ比較したときの大小関係にもとづいて、放送信号中の放送の有無と放送の種類とを判定する構成としてある。
【００１９】
デジタル放送受信機をこのような構成とすれば、周波数選択手段から出力されたＲＦ信号における放送の有無及び放送の種類を、容易かつ確実に判定できる。
例えば、上述の例の場合、各周波数帯ごとの信号強度が（１）＞（３）＞（２）であればアナログ放送であると判定でき、（１）＝（２）＝（３）であれば、デジタル放送である（あるいは、放送がない）と判定できる。
【００２０】
また、本発明のデジタル放送受信機は、判定制御手段が、周波数帯ごとの信号強度にもとづいて、周波数帯ごとの信号の有無を判定し、周波数帯ごとの信号の有無の組み合わせにもとづいて、放送信号中の放送の有無と放送の種類とを判定する構成としてある。
【００２１】
デジタル放送受信機をこのような構成とすると、周波数選択手段から出力されたＲＦ信号における放送の有無及び放送の種類を、容易かつ確実に判定できる。
例えば、上述の例の場合、各周波数帯ごとの信号強度が（１）＝有，（２）＝無，（３）＝有であればアナログ放送であると判定でき、（１）＝有，（２）＝有，（３）＝有であれば、デジタル放送であると判定でき、（１）＝無，（２）＝無，（３）＝無であれば、放送がないと判定できる。
【００２２】
また、本発明のデジタル放送受信機は、チャンネルに関する情報が登録される登録手段を備え、判定制御手段は、順番に受信されたチャンネルのすべてについて放送の有無と放送の種類とを判定し、受信可能なデジタル放送が行われているチャンネルをチャンネル情報として登録手段に登録する構成としてある。
【００２３】
デジタル放送受信機をこのような構成とすれば、全チャンネルをサーチして受信可能なデジタル放送のチャンネルをチャンネル情報に登録する機能を有するデジタル放送受信機のチャンネルサーチ機能として、請求項１〜請求項３や請求項５〜請求項８に係る各発明を採用できる。
【００２４】
また、本発明のデジタル放送受信機は、周波数帯分割手段に代えて、信号の通過する周波数帯を調整可能な可変式フィルタを備え、判定制御手段は、可変式フィルタを制御して、信号の通過する周波数帯を調整し、信号強度測定手段は、調整された周波数帯ごとに信号強度を測定し、判定制御手段は、信号強度測定手段での測定結果にもとづいて、放送信号中の放送の有無および放送の種類を判定する構成としてある。
【００２５】
デジタル放送受信機をこのような構成とすると、周波数分割手段に代えて可変式フィルタを備えた場合でも、周波数選択手段から出力されたＲＦ手段を周波数帯ごとに分割して各信号強度を測定し、この信号強度にもとづいて容易かつ確実にＲＦ信号における放送の有無及び放送の種類を判定できる。
【００２６】
また、本発明のデジタル放送受信機は、周波数帯分割手段に代えて、周波数帯が固定したフィルタを備え、信号強度測定手段は、フィルタを通過した信号の信号強度と、周波数選択手段から直接入力した信号の信号強度とをそれぞれ測定し、判定制御手段は、信号強度測定手段での測定結果にもとづいて、放送信号中の放送の有無および放送の種類を判定する構成としてある。
【００２７】
デジタル放送受信機をこのような構成とすれば、周波数分割手段に代えて周波数帯が固定したフィルタを備えた場合でも、周波数選択手段から出力されたＲＦ手段を周波数帯ごとに分割して各信号強度を測定し、この信号強度にもとづいて容易かつ確実にＲＦ信号における放送の有無及び放送の種類を判定できる。
【００２８】
また、本発明のデジタル放送受信機は、デジタル放送復調手段が、放送信号を周波数ごとに変換するＦＦＴ部を備え、信号強度測定手段は、ＦＦＴ部で周波数ごとに変換された値を読み出し、判定制御手段は、信号強度測定手段で読み出された値にもとづいて、放送信号中の放送の有無および放送の種類を判定する構成としてある。
【００２９】
デジタル放送受信機をこのような構成とすれば、周波数分割手段に代えてデジタル放送復調手段に備えられたＦＦＴ部を用いた場合でも、ＦＦＴ部から出力された信号について周波数帯ごとに信号強度を測定し、この信号強度にもとづいて容易かつ確実にＲＦ信号における放送の有無及び放送の種類を判定できる。
【００３０】
また、本発明の放送方式判定方法は、アンテナが信号を受信するステップと、周波数選択手段がアンテナから信号を受け、この信号から放送信号を取り出すステップと、周波数帯分割手段が周波数選択手段からの放送信号を複数の周波数帯に分割するステップと、信号強度測定手段が周波数帯分割手段で分割された信号のそれぞれについて信号強度を測定するステップと、判定制御手段が、信号強度測定手段での測定結果にもとづいて、放送信号中の放送の有無と放送の種類とを判定するステップとを有した方法としてある。
【００３１】
放送方式判定方法をこのような方法とすると、周波数帯分割手段で分割されたＲＦ信号について各周波数帯ごとに信号強度を測定し、この測定結果にもとづいて、周波数選択手段から出力されるＲＦ信号における放送の有無や放送の種類を容易かつ確実に判定できる。
【００３２】
また、本発明の放送方式判定プログラムは、アンテナで受信された信号から放送信号を取り出す手順を周波数選択手段に実行させ、周波数選択手段からの放送信号を複数の周波数帯に分割する手順を周波数帯分割手段に実行させ、周波数帯分割手段で分割された信号のそれぞれについて信号強度を測定する手順を信号強度測定手段に実行させ、信号強度測定手段での測定結果にもとづいて、放送信号中の放送の有無と放送の種類とを判定する手順を判定制御手段に実行させる構成としてある。
【００３３】
放送方式判定プログラムをこのような方法とすると、周波数帯分割手段で分割されたＲＦ信号について各周波数帯ごとに信号強度を測定し、この測定結果にもとづいて、周波数選択手段から出力されるＲＦ信号における放送の有無や放送の種類を容易かつ確実に判定できる。
【発明の効果】
【００３４】
以上のように、本発明によれば、周波数選択手段から出力されたＲＦ信号における放送の有無及び放送の種類を判定する手法として、そのＲＦ信号を複数の周波数帯に分割し、それら周波数帯ごとに信号強度を測定し、この測定結果にもとづいて上記判定を行うこととしてあるため、簡易な構成で、容易かつ確実にその判定結果を得ることができる。
【００３５】
また、本発明は、従来技術のようなデジタル放送のシンボル検出が行われるものではなく、しかも同期確認を待つ必要もない。したがって、チャンネルサーチの処理時間の高速化、短縮化を図ることができる。
さらに、本発明は、周波数選択手段から出力されたＲＦ信号を各周波数帯ごとに分割し、それら周波数帯ごとに信号強度を測定して、その信号強度にもとづきＲＦ信号における放送の有無や放送の種類を判定する構成としてあるため、従来技術のような同期信号の検出手段，ＦＦＴ処理したパターンと比較するためのパターンデータ，このパターン比較に用いる比較器などが不要となる。
【発明を実施するための最良の形態】
【００３６】
以下、本発明に係るデジタル放送受信機の好ましい実施形態について、図面を参照して説明する。
【００３７】
［第一実施形態］
まず、本発明のデジタル放送受信機の第一実施形態について、図１を参照して説明する。
同図は、本実施形態のデジタル放送受信機の構成を示すブロック図である。
同図に示すように、デジタル放送受信機１０ａは、アンテナ１１と、周波数選択手段１２と、周波数帯分割手段１３ａと、信号強度測定手段１４と、判定制御手段１５と、デジタル放送復調手段１６とを有している。
なお、デジタル放送受信機１０ａには、これらアンテナ１１等の他に、ＡＶデコーダなどを備えることもできるが、この部分は従来技術と同様の構成のため、その説明を省略する。
【００３８】
アンテナ１１は、放送波（信号）を受信する。
周波数選択手段１２は、判定制御手段１５から指定（設定）された周波数帯のＲＦ信号を、アンテナ１１で受信された信号から取り出す（選択する）。この取り出されたＲＦ信号は、周波数帯分割手段１３ａとデジタル放送復調手段１６へ送られる。
【００３９】
周波数帯分割手段１３ａは、周波数選択手段１２で取り出されたＲＦ信号を複数の周波数帯に分割する。
この周波数帯分割手段１３ａは、例えば、図２に示すように、複数のＢＰＦを有して構成することができる。ここで、本実施形態においては、三つのＢＰＦ（ＢＰＦ１、ＢＰＦ２、ＢＰＦ３）を有するものとする。ただし、ＢＰＦの数は三つに限るものではなく、四つ以上とすることもできる。
【００４０】
各ＢＰＦには、通過させる周波数帯がそれぞれ決められている。例えば、図２に示すように、周波数の低い方から２．５ＭＨｚ幅（ＢＰＦ１（０〜２．５ＭＨｚ））、２ＭＨｚ幅（ＢＰＦ２（２．５〜４．５ＭＨｚ））、１．５ＭＨｚ幅（ＢＰＦ３（４．５〜６ＭＨｚ））がそれぞれ割り当てられている。
ただし、それら各ＢＰＦに割り当てられる周波数帯は、必ずしも図２に示した周波数帯で割り当てる必要はなく、判定制御手段１５でデジタル放送の有無やその種類が判定できるように決められたものであればよい。
【００４１】
各ＢＰＦから出力されたＲＦ信号（ＢＰＦ１から出力されたＲＦ信号出力１、ＢＰＦ２から出力されたＲＦ信号出力２、ＢＰＦ３から出力されたＲＦ信号出力３）は、いずれも信号強度測定手段１４へ送られる。
【００４２】
信号強度測定手段１４は、周波数帯分割手段１３の各ＢＰＦからのＲＦ信号出力（ＲＦ信号出力１、ＲＦ信号出力２、ＲＦ信号出力３）の信号強度をそれぞれ測定する。この測定の結果は、判定制御手段１５へ送られる。
【００４３】
判定制御手段１５は、放送波から取り出すＲＦ信号の周波数を、周波数選択手段１２に対して指定する。
また、判定制御手段１５は、信号強度測定手段１４での測定結果にもとづいて、ＲＦ信号における放送の有無と放送の種類（放送方式）の判定を行う。この判定の方法については、後記の「本実施形態のデジタル放送受信機における放送の有無及び放送の種類の判定の具体例」で詳述する。
【００４４】
デジタル放送復調手段１６は、周波数選択手段１２からのＲＦ信号を復調しデジタル放送データを出力する。
【００４５】
以上説明した構成を備えるデジタル放送受信機は、登録手段（図示せず）を有している。
登録手段は、判定制御手段１５により、チャンネルに関する情報が登録される。この登録手段に登録されたチャンネル情報は、その後、使用者が選局動作をする際のチャンネルリスト表示に使用される。
判定制御手段１５は、すべてのチャンネルを順番に受信して放送の有無と放送の種類とを判定し、受信可能なデジタル放送が行われているチャンネルをチャンネル情報として登録手段に登録する。
【００４６】
次に、本実施形態のデジタル放送受信機の動作の概略について、図３を参照して説明する。
判定制御手段１５において、周波数選択手段１２に対し、アンテナ１１で受信された放送波（信号）から取り出すＲＦ信号の周波数が指定（設定）される（ステップ１０）。
アンテナ１１で放送波が受信される（ステップ１１）。
周波数選択手段１２において、判定制御手段１５から指定された周波数のＲＦ信号が、アンテナ１１で受信された放送波から取り出される（選択される）（ステップ１２）。この取り出されたＲＦ信号が、デジタル放送復調手段１６と周波数帯分割手段１３ａへ送られる。
【００４７】
デジタル放送復調手段１６において、周波数選択手段１２からのＲＦ信号が復調されデジタル放送データとして出力される。
一方、周波数帯分割手段１３ａにおいて、周波数選択手段１２からのＲＦ信号がＢＰＦ１、ＢＰＦ２、ＢＰＦ３により複数の周波数帯に分割される（ステップ１３）。
【００４８】
信号強度測定手段１４において、周波数帯分割手段１３で分割された周波数帯毎のＲＦ信号出力（ＲＦ信号出力１、ＲＦ信号出力２、ＲＦ信号出力３）の信号強度がそれぞれ測定される（ステップ１４）。
判定制御手段１５において、信号強度測定手段１４での測定結果にもとづいて、ＲＦ信号における放送の有無と放送の種類についての判定が行われる（各信号強度にもとづく放送方式等の判定、ステップ１５）。
【００４９】
次に、本実施形態のデジタル放送受信機における放送の有無及び放送の種類の判定の具体例について説明する。
なお、ここでは、（１）選択された周波数でアナログ放送が行われていた場合、（２）選択された周波数でデジタル放送が行われていた場合、（３）選択された周波数でなにも放送が行われていなかった場合の三つに場合分けして説明する。
【００５０】
（選択された周波数でアナログ放送が行われている場合）
周波数選択手段１２において、判定制御手段１５から指定された周波数のＲＦ信号が、アンテナ１１からの信号から選択され出力される。
ここで、選択された周波数でアナログ放送が行われていた場合、出力波形のスペクトラムは、図４（ａ）のようになる。すなわち、６ＭＨｚのうちの低い方から１．２５ＭＨｚ付近や高い方から０．７５ＭＨｚ付近で高い信号強度が測定される。
【００５１】
周波数選択手段１２から出力された図４（ａ）のスペクトラムのＲＦ信号は、周波数帯分割手段１３に入力される。
周波数帯分割手段１３では三つのＢＰＦによりＲＦ信号が三つの周波数帯に分割され、それぞれＲＦ信号出力１、ＲＦ信号出力２、ＲＦ信号出力３として信号強度測定手段１４に入力される。
【００５２】
信号強度測定手段１４により各ＲＦ信号の信号強度が測定される。
図４（ａ）に示されるスペクトラムのアナログ放送の場合に検出される信号強度を帯域幅の補正を行い比較すると、ＲＦ信号出力１＞ＲＦ信号出力３＞ＲＦ信号出力２となる。特にＲＦ信号出力２においては殆ど信号強度が測定されない。このため、判定制御手段１５においては、指定された周波数でアナログ放送が行われており、デジタル放送が行われていないと判定される。
【００５３】
（選択された周波数でデジタル放送が行われている場合）
周波数選択手段１２にて選択された周波数でデジタル放送が行われていた場合、出力波形のスペクトラムは、図４（ｂ）のようになっている。すなわち、５．７ＭＨｚの範囲で高い信号強度が認められる。
周波数選択手段１２から出力された図４（ｂ）のスペクトラムのＲＦ信号は、周波数帯分割手段１３の各ＢＰＦに入力されて、三つの周波数帯に分割され、それぞれＲＦ信号出力１、ＲＦ信号出力２、ＲＦ信号出力３として信号強度測定手段１４に入力される。
【００５４】
信号強度測定手段１４により各ＲＦ信号の信号強度が測定される。
図４（ｂ）に示されるスペクトラムのアナログ放送の場合に検出される信号強度を帯域幅の補正を行い比較すると、ＲＦ信号出力１≒ＲＦ信号出力２≒ＲＦ信号出力３となる。このため、判定制御手段１５においては、指定された周波数でデジタル放送が行われていると判定される。
【００５５】
（選択された周波数でなにも放送が行われていなかった場合）
周波数選択手段１２で選択され出力されたＲＦ信号は、周波数帯分割手段１３の各ＢＰＦに入力されて、三つの周波数帯に分割され、それぞれＲＦ信号出力１、ＲＦ信号出力２、ＲＦ信号出力３として信号強度測定手段１４に入力される。
信号強度測定手段１４により各ＲＦ信号の信号強度が測定される。
ここでは、選択された周波数でなにも放送が行われていないため、ＲＦ信号出力１、ＲＦ信号出力２、ＲＦ信号出力３とも信号強度測定手段１４では信号強度が無いと判断される値が測定される。
このため、判定制御手段１５においては、指定された周波数でデジタル放送が行われていないと判定される。
【００５６】
このように、判定制御手段１５では、信号強度測定手段１４で測定されたＲＦ信号出力の信号強度がＲＦ信号出力１≒ＲＦ信号出力２≒ＲＦ信号出力３となった場合は、デジタル放送復調手段１６でのデジタル放送としての確認を行い、他のパターンとなった場合にはデジタル放送ではないと判断する。
また、判定制御手段１５の別の判定方法としては、放送が行われていると判断してもよい信号強度の判定値を設定し測定されたＲＦ信号出力１〜３の各信号強度とこの判定値との比較を行い、信号有無のパターンにより判定を行う方法がある。この場合は、ＲＦ信号出力１、ＲＦ信号出力２、ＲＦ信号出力３の各判定がすべて信号ありと判定された場合はデジタル放送と判定し、ＲＦ信号出力１とＲＦ信号出力３のみ信号ありと判定されＲＦ信号出力２は信号なしと判定された場合は、アナログ放送と判定し、すべて信号なしと判定された場合は、放送が無いと判定することが可能である。
【００５７】
以上のように、アナログ放送を受信した場合とデジタル放送を受信した場合と放送がなかった場合に信号強度測定手段１４で測定される信号強度の状態が異なることを利用して放送の有無および種類の判定を行う。
なお、信号強度測定の際に、フェージングやドップラー現象などによる信号強度の変動による誤判定を防ぐために適当な回数の測定を行って平均信号強度を求めることも有効である。これにより、選択した周波数でアナログ放送が行われていた場合にデジタル放送復調手段１６でのシンボル検出や同期確認までの処理時間を待つことなく判定できる。
【００５８】
［第二実施形態］
次に、本発明に係るデジタル放送受信機の第二実施形態について、図５を参照して説明する。
同図は、本実施形態のデジタル放送受信機の構成を示すブロック図である。
本実施形態は、第一実施形態と比較して、周波数帯分割手段の構成が相違する。すなわち、第一実施形態では、複数（例えば、三つ）のＢＰＦで構成するのに対し、本実施形態では、可変式ＢＰＦで構成する。他の構成要素は第一実施形態と同様である。
したがって、図５において、図１と同様の構成部分については同一の符号を付して、その詳細な説明を省略する。
【００５９】
図５に示すように、デジタル放送受信機１０ｂは、アンテナ１１と、周波数選択手段１２と、可変式ＢＰＦ１３ｂと、信号強度測定手段１４と、判定制御手段１５と、デジタル放送復調手段１６とを有している。
ここで、可変式ＢＰＦ１３ｂは、通過させる信号の周波数帯が判定制御手段１５からの設定により調整できるようになっている。
調整される周波数帯は、例えば、図２に示す周波数と同様、例えば、０〜２．５ＭＨｚ、２．５〜４．５ＭＨｚ、４．５〜６ＭＨｚのようにすることができる。なお、調整される周波数帯は、これらに限らず、任意に設定可能である。
【００６０】
次に、本実施形態のデジタル放送受信機の動作について説明する。
判定制御手段１５において、周波数選択手段１２に周波数設定が行われる。次いで、判定制御手段１５で、可変式ＢＰＦ１３が制御される。ここでは、まず図２のＲＦ信号出力１と同等の信号が得られるように可変式ＢＰＦ１３の状態が設定される。そして、この可変式ＢＰＦ１３を通過した信号（ＲＦ信号出力１）が信号強度測定手段１４へ送られ、そのＲＦ信号出力１の信号強度測定値が読み出される。
【００６１】
続いて、判定制御手段１５により可変式ＢＰＦ１３が制御され、ここでは、図２のＲＦ信号出力２と同等の信号が得られるように、可変式ＢＰＦ１３の状態が設定される。そして、この可変式ＢＰＦ１３を通過した信号（ＲＦ信号出力２）が信号強度測定手段１４へ送られ、そのＲＦ信号出力２の信号強度測定値が読み出される。
【００６２】
さらに、判定制御手段１５により可変式ＢＰＦ１３が制御され、ここでは、図２のＲＦ信号出力３と同等の信号が得られるように、可変式ＢＰＦ１３の状態が設定される。そして、この可変式ＢＰＦ１３を通過した信号（ＲＦ信号出力３）が信号強度測定手段１４へ送られ、そのＲＦ信号出力３の信号強度測定値が読み出される。
【００６３】
これらＲＦ信号出力１、ＲＦ信号出力２、ＲＦ信号出力３の各信号強度測定値が信号強度測定手段１４から判定制御手段１５へ送られ、デジタル放送の有無の判定が行われる。
なお、判定の方法については、第一実施形態における「本実施形態のデジタル放送受信機における放送の有無及び放送の種類の判定の具体例」と同様である。
以上の動作により図１での動作の場合と同様にＲＦ信号を三つに分割しそれぞれの信号強度を測定してデジタル放送の有無と放送の種類とを判断できる。
【００６４】
［第三実施形態］
次に、本発明に係るデジタル放送受信機の第三実施形態について、図６を参照して説明する。
同図は、本実施形態のデジタル放送受信機の構成を示すブロック図である。
本実施形態は、第一実施形態と比較して、周波数帯分割手段の構成等が相違する。すなわち、第一実施形態では、複数（例えば、三つ）のＢＰＦにより構成しているのに対し、本実施形態では、周波数帯を特定した一つのＢＰＦで構成しており、周波数選択手段からの信号がその一つのＢＰＦと信号強度測定手段とのそれぞれへ送られることとしてある。他の構成要素は第一実施形態と同様である。
したがって、図６において、図１と同様の構成部分については同一の符号を付して、その詳細な説明を省略する。
【００６５】
図６に示すように、デジタル放送受信機１０ｃは、アンテナ１１と、周波数選択手段１２と、ＢＰＦ１３ｃと、信号強度測定手段１４と、判定制御手段１５と、デジタル放送復調手段１６とを有している。
ここで、ＢＰＦ１３ｃは、第一実施形態における周波数帯分割手段１３ａと比較して、分割する周波数の数量を変更してある。具体的には、第一実施形態の周波数帯分割手段１３ａでは、０ＭＨｚ〜６ＭＨｚを通過させる周波数帯としこれを三分割している。これに対し、本実施形態のＢＰＦ１３ｃは、２．５ＭＨｚから５．５ＭＨｚまでの周波数の信号が通過するようになっている。
【００６６】
信号強度測定手段１４は、ＢＲＦ１３ｃを通過した信号を受ける。さらに、信号強度測定手段１４は、周波数選択手段１２からも直接信号を受ける。
【００６７】
次に、本実施形態のデジタル放送受信機の動作について説明する。
周波数選択手段１２で選択されたＲＦ信号は、信号強度測定手段１４に直接入力されるとともに、ＢＰＦ１３ｃ（２．５ＭＨｚ−４．５ＭＨｚ）を介して信号強度測定手段１４に入力される。
図４（ａ）に示すスペクトラムになるアナログ放送が入力されている場合、周波数選択手段１２から信号強度測定手段１４に直接入力されているＲＦ信号では信号強度が測定される。
一方、ＢＰＦ１３ｃを介して信号強度測定手段１４に入力されたＲＦ信号では信号強度が信号が無いと判断できる値として測定される。
【００６８】
図４（ｂ）に示すスペクトラムとなるデジタル放送が入力されている場合には周波数選択手段１２から信号強度測定手段１４に直接接続されているＲＦ信号、ＢＰＦ１３ｃを介して入力されているＲＦ信号とも信号強度が測定される。
放送が行われていない周波数を選択した場合には、前記の二系統のＲＦ信号のどちらも信号強度が信号がないと判断できる値となる。
【００６９】
以上の動作により判定制御手段１５では、二系統とも信号強度が測定されない場合は放送無し、二系統とも信号強度が測定された場合にはデジタル放送、周波数選択手段１２から直接入力されたＲＦ信号のみ信号強度が検出され、ＢＰＦ１３ｃを介して入力されたＲＦ信号からは信号強度が測定されなかった場合は、アナログ放送と判断を行う。
【００７０】
［第四実施形態］
次に、本発明に係るデジタル放送受信機の第四実施形態について、図７を参照して説明する。
同図は、本実施形態のデジタル放送受信機の構成を示すブロック図である。
本実施形態は、第一実施形態と比較して、信号を分割する構成が相違する。すなわち、第一実施形態では、周波数帯分割信号にて分割を行うこととしているのに対し、本実施形態では、デジタル放送復調手段に含まれるＦＦＴ部より分割を行うこととしている。他の構成要素は第一実施形態と同様である。
したがって、図７において、図１と同様の構成部分については同一の符号を付して、その詳細な説明を省略する。
【００７１】
図７に示すように、デジタル放送受信機１０ｄは、アンテナ１１と、周波数選択手段１２と、信号強度測定手段１４と、判定制御手段１５と、デジタル放送復調手段１６とを有している。
ここで、デジタル放送復調手段１６は、ＦＦＴ部１７を備えている。
ＦＦＴ（Ｆａｓｔ  Ｆｏｕｒｉｅｒ  Ｔｒａｎｓｆｏｒｍ：高速フーリエ変換）は、時間領域の信号を周波数領域の信号に変換するフーリエ変換を高速に演算するアルゴリズムである。
【００７２】
そして、ＦＦＴ部１７は、周波数選択手段１２から入力したＲＦ信号に対して高速フーリエ変換を行うものであり、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重方式）復調では多重された多数の搬送波を分離する。
このＦＦＴ部１７から出力される信号は、各周波数（デジタル放送のＯＦＤＭ信号の各キャリア）毎のレベル値に変換されたものである。
【００７３】
このように、本実施形態は、ＲＦ信号を直接分割するものではなく、デジタル放送復調手段１６に含まれるＦＦＴ部１７により周波数ごとに変換された値を判定制御手段１５で読み出し、その値にもとづいて第一実施形態から第三実施形態までの帯域幅での電力を計算で求めることで判定と同様の動作を実現している。
ここで、「第一実施形態から第三実施形態までの帯域幅」とは、第一実施形態及び第二実施形態における、０−２．５ＭＨｚ、２．５ＭＨｚ−４．５ＭＨｚ、４．５ＭＨｚ−６ＭＨｚの各帯域、第三実施形態における、２．５ＭＨｚ−４．５ＭＨｚと０−６ＭＨｚの各帯域をいう。
【００７４】
地上デジタル放送で使用されているＯＦＤＭ方式はマルチキャリア（帯域内に複数のキャリアが存在する）方式である。モードにより異なるが、放送の帯域（５．７ＭＨｚ）内に約１４００〜５６００本のキャリアが存在する。ＦＦＴ後のデータは、これらの各キャリア周波数ごとの信号強度になる。（横軸をキャリア周波数、縦軸をレベルとしてグラフを書くとスペクトラムアナライザの画面表示と同じようになる。）
第一実施形態から第三実施形態まではＢＰＦを使用していたが、本実施形態のようにＦＦＴ後のデータを使用する場合には、ＢＰＦの帯域に含まれるキャリアのレベルを合計することで帯域毎の信号強度を測定できる。
これにより、第一実施形態から第三実施形態までと同じ判定方法による判定を行うことができる。
【００７５】
以上、本発明のデジタル放送受信機の好ましい実施形態について説明したが、本発明に係るデジタル放送受信機は上述した実施形態にのみ限定されるものではなく、本発明の範囲で種々の変更実施が可能であることは言うまでもない。
【００７６】
なお、本発明のデジタル放送受信機は、第一実施形態，第二実施形態，第三実施形態及び第四実施形態のそれぞれにおけるデジタル放送受信機を任意に組み合わせたものであってもよい。
【産業上の利用可能性】
【００７７】
本発明は、地上デジタル放送を受信して映像出力や音声出力を行うための装置（例えば、テレビジョンや携帯電話など）に接続又は内蔵されるデジタル放送受信機として利用可能である。
【図面の簡単な説明】
【００７８】
【図１】本発明の第一実施形態に係るデジタル放送受信機の構成を示すブロック図である。
【図２】周波数帯分割手段の構成を示すブロック図である。
【図３】本発明の第一実施形態に係るデジタル放送受信機の動作を示すフローチャートである。
【図４】周波数選択手段から出力されたＲＦ信号のスペクトラムを示す図であって、（ａ）は、選択された周波数でアナログ放送が行われている場合、（ｂ）は、選択された周波数でデジタル放送が行われている場合を示す。
【図５】本発明の第二実施形態に係るデジタル放送受信機の構成を示すブロック図である。
【図６】本発明の第三実施形態に係るデジタル放送受信機の構成を示すブロック図である。
【図７】本発明の第四実施形態に係るデジタル放送受信機の構成を示すブロック図である。
【符号の説明】
【００７９】
１０  デジタル放送受信機
１１  アンテナ
１２  周波数選択手段
１３ａ  周波数帯分割手段
１３ｂ  可変式ＢＰＦ
１３ｃ  ＢＰＦ
１４  信号強度測定手段
１５  判定制御手段
１６  デジタル放送復調手段
１７  ＦＦＴ部
【図１】
2006352488.tif 000003
【図２】
2006352488.tif 000004
【図３】
2006352488.tif 000005
【図４】
2006352488.tif 000006
【図５】
2006352488.tif 000007
【図６】
2006352488.tif 000008
【図７】
2006352488.tif 000009